(57)【特許請求の範囲】
【請求項１】
磁気テープカセットを保持するためのカセットホルダと、ローディング装置の中間位置とプレイ位置との間に前記カセットホルダをほぼ垂直ローディング方向に移動可能にする第１昇降板とを具え、前記カセットホルダと第１昇降板とが取出し位置から前記中間位置に水平ローディング方向に移動可能であり、ローディング装置の取出し位置からプレイ位置に磁気テープカセットを移動させる磁気テープカセット装置のテープデッキのローディング装置であって、
デッキ板に取り付けられたフレーム上に、回転可能に、水平ローディング方向に移動可能に昇降素子を設け、
少なくとも１個の結合点において前記カセットホルダに前記昇降素子を回転自在に結合し、
前記中間位置から取出し位置に、逆に取出し位置から中間位置に、前記カセットホルダ、昇降素子、及び第１昇降板を前記水平ローディング方向に移動可能に構成し、
前記中間位置からプレイ位置に、及びプレイ位置から中間位置に前記ローディング装置が移動中、前記カセットホルダが前記中間位置からプレイ位置に、及びプレイ位置から中間位置にほぼ垂直ローディング方向に移動すると共に、この移動中、前記昇降素子が回転運動を行うよう、前記第１昇降板が水平ローディング方向に移動して前記カセットホルダ、及び前記昇降素子に力を作用させるよう構成した該磁気テープカセット装置のローディング装置において、
前記昇降素子は、前記フレームの水平ローディング方向に延在する第１案内溝孔および第２案内溝孔内にそれぞれ案内される昇降素子の第１ピンおよび第２ピンと、前記フレームのほぼＬ字状の第３案内溝孔内に案内される昇降素子の第３ピンとを具え、前記第３案内溝孔は、水平ローディング方向に延びる水平部と、ほぼ前記垂直ローディング方向に延び湾曲形状を有する垂直部とを具える構成とした
ことを特徴とする磁気テープカセット装置のローディング装置。
【請求項２】
前記カセットホルダに、前記フレームのほぼＬ字状の第４案内溝孔内に案内されるカセットホルダの第１ピンを設け、前記水平ローディング方向に延びる水平部と、前記垂直ローディング方向に延びる垂直部とを前記第４案内溝孔が具えることを特徴とする請求項１に記載のローディング装置。
【請求項３】
前記カセットホルダの第１ピンが掛合する第１傾斜溝孔と、前記昇降素子の第３ピンが掛合する第２傾斜溝孔とを前記第１昇降板が有することを特徴とする請求項１または２に記載のローディング装置。
【請求項４】
前記水平ローディング方向に延びる接触面を前記フレームに設け、この接触面上に案内される突起を前記カセットホルダに設けたことを特徴とする請求項１〜３のいずれか１項に記載のローディング装置。
【請求項５】
前記第１昇降板の第２溝孔を湾曲形状にし、この曲線状の第２溝孔への接線と前記垂直ローディング方向との間の角度が前記第１昇降板の上面に向く方向に増大するよう構成したことを特徴とする請求項４に記載のローディング装置。
【請求項６】
前記第１昇降板の第１溝孔を湾曲形状にし、この曲線状の第１溝孔への接線と前記垂直ローディング方向との間の角度が前記第１昇降板の上面に向く方向に増大するよう構成したことを特徴とする請求項５に記載のローディング装置。
【請求項７】
前記昇降素子と前記第１昇降板とを相互に拘束するばねを設けたことを特徴とする請求項１〜６のいずれか１項に記載のローディング装置。
【請求項８】
少なくとも２個の結合点において前記カセットホルダに前記昇降素子を回転自在に結合したことを特徴とする請求項１〜７のいずれか１項に記載のローディング装置。
【請求項９】
前記フレームのほぼＬ字状の第５案内溝孔内に案内される第４ピンを前記昇降素子に設け、前記水平ローディング方向に延びる水平部と、ほぼ垂直ローディング方向に延び湾曲形状を有する垂直部とを前記第５案内溝孔が具え、前記カセットホルダに前記フレームのほぼＬ字状の第６案内溝孔内に案内されるカセットホルダの第２ピンを設け、前記第６案内溝孔は、前記水平ローディング方向に延びる水平部と、前記垂直ローディング方向に延びる垂直部とを具えることを特徴とする請求項１〜８のいずれか１項に記載のローディング装置。
【請求項１０】
前記水平ローディング方向に移動可能な第２昇降板を設け、前記カセットホルダの第２ピンが掛合する第１傾斜溝孔と、前記昇降素子の第４ピンが掛合する第２傾斜溝孔とを前記第２昇降板に設けたことを特徴とする請求項９に記載のローディング装置。
【請求項１１】
請求項１〜１０のいずれか１項に記載のローディング装置を有するテープデッキ。
【請求項１２】
請求項１〜１０のいずれか１項に記載のローディング装置を有する磁気テープカセット装置。
【請求項１３】
請求項１〜１０のいずれか１項に記載のローディング装置を有するディジタル磁気テープカセット装置。
【請求項１４】
請求項１〜１０のいずれか１項に記載のローディング装置を有し、ディスク、又はその他の情報担体にディジタル情報として記録された情報を読み出す装置。
【発明の詳細な説明】
【０００１】
【発明の属する技術分野】
本発明は磁気テープカセットを保持するためのカセットホルダと、ローディング装置の中間位置とプレイ位置との間にカセットホルダをほぼ垂直ローディング方向に移動可能にする第１昇降板とを具え、カセットホルダと第１昇降板とが取出し位置から中間位置に水平ローディング方向に移動可能であり、ローディング装置の取出し位置からプレイ位置に磁気テープカセットを移動させる磁気テープカセット装置のローディング装置に関するものである。
【０００２】
【従来の技術】
このようなローディング装置はドイツ特許第3241361 号から既知である。この既知のローディング装置は両側に配置された少なくとも２個のピンを有するカセットホルダを具える。これ等のピンは共にフレームの案内溝孔と、少なくとも２個の移動可能な昇降板の案内溝孔とに掛合する。両方の昇降板は同一方向に並進運動可能なよう相互に結合されている。カセットホルダを中間位置からプレイ位置に動かすため、両方の昇降板を駆動機構によって水平ローディング方向に動かし、カセットホルダに配置されたピンに垂直ローディング方向に力を作用させている。このようなローディング機構においては、磁気テープカセットをプレイ位置から中間位置に動かすため、垂直ローディング方向に必要な全体の力を２個の昇降板によって加える必要がある。プラスチック製の歯車、及びラックによって２個の昇降板を駆動する時、このような駆動機構によって伝導され得る力はプラスチックの強度によって制限を受ける。特に、重い磁気テープカセットの場合、このことは問題を発生させる。更に、２個の各昇降板がそれぞれの歯車に噛合するラックを有する必要がある。これ等２個の歯車を共通スピンドルによって並進的に結合する必要がある。この結果、多数の部片が必要になる。２個の歯車間を並進的に結合するスピンドルはローディング機構に必要な取付け空間を制限する欠点がある。
【０００３】
【発明が解決しようとする課題】
本発明の目的は磁気テープカセットをプレイ位置から中間位置に動かすのに必要な力を最小にし、簡単で信頼性がある頭書に記載した形式の磁気テープカセット装置のローディング装置を得るにある。
【０００４】
【課題を解決するための手段】
この目的は本発明により達成することができ、本発明磁気テープカセット装置のローディング装置は、デッキ板に取り付けられたフレーム上に、回転可能に、水平ローディング方向に移動可能に昇降素子を設け、少なくとも１個の結合点において前記カセットホルダに前記昇降素子を回転自在に結合し、前記中間位置から取出し位置に、逆に取出し位置から中間位置に、前記カセットホルダ、昇降素子、及び第１昇降板を前記水平ローディング方向に移動可能に構成し、前記中間位置からプレイ位置に、及びプレイ位置から中間位置に前記ローディング装置が移動中、前記カセットホルダが前記中間位置からプレイ位置に、及びプレイ位置から中間位置にほぼ垂直ローディング方向に移動すると共に、この移動中、前記昇降素子が回転運動を行うよう、前記第１昇降板が水平ローディング方向に移動して前記カセットホルダ、及び前記昇降素子に力を作用させるよう構成したことを特徴とする。
【０００５】
例えば、このローディング装置のプレイ位置では、磁気テープカセット装置のリールディスクは磁気テープカセットのリールディスク開口に掛合し、磁気ヘッドを過ぎて磁気テープを動かすことができる。このプレイ位置から、使用者が手で磁気テープカセットを取り出すことができる取出し位置まで磁気テープカセットを動かす必要がある時、まず、磁気テープカセットをプレイ位置から中間位置に垂直ローディング方向に上昇させる。磁気テープカセットを上昇させるのに必要な上昇力を水平ローディング方向に移動する第１昇降板によって加え、カセットホルダ、及び昇降素子の両方に力を作用させる。昇降素子に作用する力は、昇降素子とカセットホルダとの間の結合点においてカセットホルダに伝えられる。このローディング装置がプレイ位置から中間位置に移動する時、フレームに枢着されている昇降素子は回動し、垂直ローディング方向にフレームに衝合するから、垂直ローディング方向に磁気テープカセットの重力を一部受け持つことができる。その結果、ローディング装置をプレイ位置から中間位置に動かすため第１昇降板によって作用させる力を減少させることができる。この回動中、昇降素子も水平ローディング方向に僅かな運動を行うことができる。
【０００６】
唯１個の昇降板が必要なだけであるから、部片は節約され、共通スピンドルによる２個の昇降板の複雑な並進結合を省略することができる。１個の昇降板を必要とするだけであるから、カセットホルダの一側での取付け空間を節約することができ、特に、磁気テープカセット装置の磁気ヘッドが磁気テープカセットに接触するカセットホルダの側での取付け空間を節約することができる。
【０００７】
【発明の実施の形態】
本発明の有利な実施例は、前記フレームの水平ローディング方向に延在する第１案内溝孔、及び第２案内溝孔内にそれぞれ案内される第１ピン、及び第２ピンを前記昇降素子が具えることを特徴とする。
フレームの一側に第１水平案内溝孔を設け、このフレームの反対側には対向して第２案内溝孔を設ける。このような構造によって、昇降素子をカセットホルダに回動可能に結合することを簡単に実現でき、カセットホルダに対する昇降素子の水平運動を可能にする。
【０００８】
本発明の他の有利な実施例は、前記フレームのほぼＬ字状の第３案内溝孔内に案内される第３ピンを前記昇降素子に設け、前記水平ローディング方向に延びる水平部と、ほぼ前記垂直ローディング方向に延び湾曲形状を有する垂直部とを前記第３案内溝孔が具えることを特徴とする。
ローディング装置を取出し位置から中間位置に動かす時、昇降素子の第３ピンをフレームの第３案内溝孔の水平部内で案内する。ローディング装置を中間位置からプレイ位置に動かす時、フレームの第３案内溝孔のほぼ垂直ローディング方向に延びる垂直部内で昇降素子の第３ピンを案内する。中間位置からプレイ位置へのローディング装置のこの移動中、昇降素子は枢着軸線の周りに回動するから、昇降素子の第３ピンも回動運動を行えるよう第３案内溝孔の垂直部を湾曲させる。
【０００９】
本発明の他の好適な実施例は、前記フレームのほぼＬ字状の第４案内溝孔内に案内される第１ピンを前記カセットホルダに設け、前記水平ローディング方向に延びる水平部と、前記垂直ローディング方向に延びる垂直部とを前記第４案内溝孔が具えることを特徴とする。
カセットホルダを取出し位置から中間位置に動かす時、カセットホルダの第１ピンはフレームの第４案内溝孔の水平部内で案内される。カセットホルダを中間位置からプレイ位置に動かす時、カセットホルダの第１ピンはフレームの第４案内溝孔の垂直部内で案内される。このようにして、カセットホルダ、従って磁気テープカセットは中間位置からプレイ位置に垂直ローディング方向に下降し、その結果、磁気テープカセットのリールディスク開口は磁気テープカセット装置のリールディスクに垂直ローディング方向に下降する。
【００１０】
本発明の他の好適な実施例は、前記カセットホルダの前記第１ピンが掛合する第１傾斜溝孔と、前記昇降素子の前記第３ピンが掛合する第２傾斜溝孔とを前記第１昇降板が有することを特徴とする。
第１昇降板を取出し位置から中間位置に動かす時、第１昇降板の第１溝孔、及び第２溝孔の端縁部はカセットホルダの第１ピン、及び昇降素子の第３ピンに力を作用させ、その結果、昇降素子、及びカセットホルダを取出し位置から中間位置に水平ローディング方向に動かす。フレームの第４案内溝孔の水平部内にカセットホルダの第１ピンを案内し、同時にフレームの第３案内溝孔の水平部に昇降素子の第３ピンを案内することによって、カセットホルダの第１ピン、及び昇降素子の第３ピンがそれぞれ第１昇降板の第１溝孔、及び第２溝孔を摺動下降するのを防止する。
【００１１】
昇降板を中間位置からプレイ位置に水平ローディング方向に動かす時、第１昇降板の第１溝孔、及び第２溝孔の端縁部はカセットホルダの第１ピン、及び昇降素子の第３ピンに垂直ローディング方向にそれぞれ力を作用させ、その結果、昇降素子、及びカセットホルダを中間位置からプレイ位置に動かす。この時、カセットホルダの第１ピン、及び昇降素子の第３ピンは第１昇降板の傾斜溝孔を摺動して下る。同時に、カセットホルダの第１ピンをフレームの第４案内溝孔の垂直部内で案内し、昇降素子の第３ピンを第３案内溝孔の湾曲垂直部内で案内する。
【００１２】
本発明の他の有利な実施例は、前記水平ローディング方向に延びる接触面を前記フレームに設け、この接触面上に案内される突起を前記カセットホルダに設けたことを特徴とする。
このような水平な接触面により、取出し位置と中間位置との間での移動中、カセットホルダを一層良く案内することができる。
本発明の他の有利な実施例は、前記第１昇降板の第２溝孔を湾曲形状にし、この曲線状の第２溝孔への接線と前記垂直ローディング方向との間の角度が前記第１昇降板の上面に向く方向に増大するよう構成したことを特徴とする。
磁気テープカセットがプレイ位置から中間位置に上昇する時、第１昇降板によって加えられる力は中間位置に向け増大する。これは昇降素子をフレームに回動可能に取り付けていることに基因する。フレームに支持されている間、昇降素子によって伝えることができるカセットの全体の重力の一部は、水平ローディング方向と昇降素子との間の角度が増大するにつれて増大する。この作用は第２溝孔の湾曲形状と打ち消し合う。第１昇降板の水平運動により垂直方向に昇降素子の第３ピンに作用する力の成分は、この湾曲する第１溝孔への接線と垂直ローディング方向との間の角度が増大するにつれて、増大する。従って、中間位置とプレイ位置との間に移動中、第１昇降板を水平方向に駆動するために加える力を一定にすることができる。
【００１３】
本発明の他の有利な実施例は、前記第１昇降板の第１溝孔を湾曲形状にし、この曲線状の第１溝孔への接続と前記垂直ローディング方向との間の角度が前記第１昇降板の上面に向く方向に増大するよう構成したことを特徴とする。
第１昇降板の第２溝孔が湾曲しており、第１溝孔が直線状であれば、磁気テープカセットはプレイ位置から中間位置に移動する間、このことにより磁気テープカセットが水平ローディング方向に対し僅かに傾斜することになる。これを防止するため、第１昇降板の第１溝孔をも湾曲形状にする。一般に、カセットホルダの第１ピンを案内する第１昇降板の第１溝孔を昇降素子の枢着点に一層近く位置させる。上昇、及び下降中、磁気テープカセットが正確に水平に留まるのを確実にするため、湾曲する第１溝孔の曲率と、湾曲する第２溝孔の曲率とを相互に適合させることが必要である。
【００１４】
本発明の他の好適な実施例は、前記昇降素子と前記第１昇降板とを相互に拘束するばねを設けたことを特徴とする。
磁気テープカセット装置がそのオフ状態にある時、この磁気テープカセット装置の損傷を防止するため、取出し位置を越えて、磁気テープカセットを装置内に挿入することができることは望ましくない。磁気テープカセット装置のオフ状態において、磁気テープカセットがカセットホルダ内に位置しており、しかも取出し位置を越えて、カセット、従ってカセットホルダ、及び昇降素子を手で装置内に押圧した時、昇降素子、及び第１昇降板の間のばねは張力を受け、使用者がカセットを一旦釈放すれば、このばねによって昇降素子、カセットホルダ、及び磁気テープカセットを取出し位置に動かして戻す。
【００１５】
本発明の他の有利な実施例は、少なくとも２個の結合点において前記カセットホルダに前記昇降素子を回転自在に結合したことを特徴とする。
２個の結合点は昇降素子とカセットホルダとの間の回動可能な結合の一層高い安定性を保証する。
本発明の他の有利な実施例は、前記フレームのほぼＬ字状の第５案内溝孔内に案内される第４ピンを前記昇降素子に設け、前記水平ローディング方向に延びる水平部と、ほぼ垂直ローディング方向に延び湾曲形状を有する垂直部とを前記第５案内溝孔が具え、前記フレームのほぼＬ字状の第６案内溝孔内に案内される第２ピンを前記カセットホルダに設け、前記水平ローディング方向に延びる水平部と、前記垂直ローディング方向に延びる垂直部とを前記第６案内溝孔が具えることを特徴とする。
【００１６】
このようなローディング装置は安定性が一層高く、昇降素子とカセットホルダとの一層良好な案内を可能にする。このことは磁気テープカセット装置に使用せず、磁気テープカセット装置より一層幅が広いコンパクトディスク、又はシーディロム、又はその他のデータ担体にこのローディング装置を使用すれば一層有利である。
本発明ローディング装置はテープデッキを有する磁気テープカセット装置に使用して好適であり、テープデッキを有するディジタル磁気テープカセット装置、又はディスク、又はその他の情報担体にディジタル情報として記録された情報を読み出す装置に使用して好適である。
図１〜図１０の図面を参照して、本発明の実施例を一層詳細に説明する。
【００１７】
【実施例】
図１、及び図２は、使用者が磁気テープカセット２を手で除去し得る取出し位置にある磁気テープカセット装置のデッキの本発明ローディング機構、即ちローディング装置を示す斜視図である。このローディング装置はカセットホルダ１を具える。このカセットホルダ１内に、磁気テープカセット２が水平ローディング方向３の方向に挿入されている。カセットホルダ１を図１０の斜視図に別個に示す。このカセットホルダは相互に離間して、上板１ａと、下板１ｂと、水平ローディング方向３の方向に延びる側板１ｃと、磁気テープカセット２を手で挿入した時、このカセットが摺動して衝合する後部衝合壁１ｄとを具える。カセットホルダ１はその上面１ａに２個のＵ字状ヒンジ開口４、５と、側板１ｃに第１ピン６とを有する。
図７に斜視図で別個に示した昇降素子８を設けている。この昇降素子８は第１ピン９と、反対側の第２ピン１０と、第３ピン１１と、２個の昇降突起１３、１４とを具える。これ等の昇降突起１３、１４はカセットホルダ１のヒンジ開口４、５に掛合する。
【００１８】
図９に別個に示したＵ字状フレーム１５を設ける。このＵ字状フレームは後壁１５ａと、２個の側壁１５ｂ、１５ｃとを具える。フレーム１５の側壁１５ｂは水平ローディング方向３の方向に延びる第１案内溝孔１７を有し、側壁１５ｃは水平ローディング方向３の方向に延びる第２案内溝孔１８を有する。フレーム１５の側壁１５ｂは、ほぼＬ字状の第３案内溝孔１９を有し、この第３案内溝孔１９は水平ローディング方向３の方向に延びる水平部１９ａと、ほぼ垂直ローディング方向２１の方向に延びる湾曲形状の垂直部１９ｂとを有する。フレーム１５の側壁１５ｂはほぼＬ字状の第４案内溝孔２０を有し、この第４案内溝孔２０は水平ローディング方向３の方向に延びる水平部２０ａと、垂直ローディング方向２１の方向に延びる垂直部２０ｂとを有する。
【００１９】
図１、及び図２から明らかなように、フレーム１５を磁気テープカセット装置のデッキ板１６に取り付ける。昇降素子８の第１ピン９はフレーム１５の第１案内溝孔１７に掛合し、昇降素子８の第２ピン１０はフレーム１５の第２案内溝孔１８に掛合し、昇降素子８の第３ピン１１はフレーム１５の第３案内溝孔１９に掛合する。カセットホルダ１の第１ピン６はフレーム１５の第４案内溝孔２０に掛合する。フレーム１５の側壁１５ｃは接触面２２を有し、この接触面２２に沿って、カセットホルダ１の突起２３は水平ローディング方向３の方向に摺動することができる。
図８に別個に示す第１昇降板２５を設け、水平ローディング方向３に対し傾いている第１溝孔２６と、第２溝孔２７とを第１昇降板２５に設ける。第１昇降板２５の第２溝孔２７は水平ローディング方向３の方向に延びる水平部２７ａと、水平ローディング方向３に対し傾いている傾斜部２７ｂとから成る。
【００２０】
図２から明らかなように、カセットホルダ１の第１ピン６は第１昇降板２５の溝孔２６に掛合し、昇降素子８の第３ピン１１は第２溝孔２７に掛合する。図１から明らかなように、第１昇降板２５はフレーム１５の第６案内溝孔４６内に案内される案内ピン４５を有する。この第６案内溝孔は水平ローディング方向３の方向に延在する。第１昇降板２５は上面２５ａと下面２５ｂとを有する。水平ローディング方向３の方向に摺動し得るよう昇降板２５の下面２５ｂをデッキ板１６上に支持する。ラック３０によって第１昇降板２５は水平ローディング方向３の方向に前後に移動することができる。このラック３０はデッキ板１６上に移動可能に支持されており、サーボモータ（図示せず）によって水平ローディング方向３の方向に駆動される。ラック３０によって第１昇降板２５が水平ローディング方向３の方向に移動する時、ラック３０は第１昇降板２５の端縁２５ｃに衝合し、ラック３０によって第１昇降板２５が水平ローディング方向３の反対方向に移動する時、ラック３０は第１昇降板２５の端縁２５ｂに衝合する。
【００２１】
枢着点３１の周りに回動し得るよう昇降素子８に掛金レバー３２を取り付け、矢印３３によって示す方向にばね負荷を加える。磁気テープカセット２が掛金レバー３２に作用していない限り、この掛金レバー３２は昇降素子８とカセットホルダ１とをフレーム１５に保持する。この目的のため、掛金レバー３２の突起３４をばね負荷の作用によりフレーム１５の掛金凹所３５に掛合させる。使用者が磁気テープカセット２をカセットホルダ１の後部衝合壁１ｄに押圧すれば、この磁気テープカセット２は掛金レバー３２に作用して、このレバー３２を矢印３３によって示す方向の反対の方向に回動し、昇降素子８とカセットホルダ１とをフレーム１５から外す。従って、使用者が磁気テープカセット２をカセットホルダ１内に手で完全に挿入し終わるまで、ローディング装置を作動させないようにすることができる。
第１昇降板２５は昇降板フック３６を有し、線図的に示す昇降ばね３７により、この昇降板フック３６を昇降素子８の第１ピン９に対し拘束する。矢印４０によって示される方向にばね負荷を受けるブロックレバー３８を枢着点３９の周りに回動し得るようデッキ板１６に取り付ける。
【００２２】
図１には、完全なフレーム１５と共に取出し位置にローディング装置を示し、図２においては、第１昇降板２５の作動を明らかに示すため、フレーム１５の後壁１５ａ、及び側壁１５ｂを図示しない。図１、及び図２に示す取出し位置では、磁気テープカセット２はカセットホルダ１の後部衝合壁１ｄに衝合するように、この磁気テープカセット２はカセットホルダ１内に深く挿入されており、その結果、カセットホルダ１、及び昇降素子８は掛金レバー１５によってフレーム１５に、も早、保持されていない。使用者がこの取出し位置を越えて、磁気テープカセット２を水平ローディング方向に挿入しようとする時、磁気テープカセット装置がスイッチオフの状態にあるか、スイッチオンの状態にあるかにより、２つの作動状態が区別される。
【００２３】
磁気テープカセット装置がそのスイッチオフの状態にあれば、装置の損傷を防止するため、使用者がこの取出し点を越えて磁気テープカセット２を磁気テープカセット装置内に手で挿入することは望ましくない。このことはブロックレバー３８によって保証、即ち防止することができる。磁気テープカセット装置のオフ状態で、取出し位置を越えて磁気テープカセット２を磁気テープカセット装置内に水平ローディング方向３の方向に挿入する時、その状態は図示しないが、第１昇降板２５をブロックレバー３８によって水平ローディング方向３の方向に対し阻止する。ここで、使用者が磁気テープカセット２を水平ローディング方向３の方向に更に挿入する時、カセットホルダ１、及び昇降素子８も水平ローディング方向３の方向に動かされる。この結果、昇降ばね３７は動かない第１昇降板２５と、水平ローディング方向３の方向に移動する昇降素子８との間で張力を受ける。従って、昇降素子８、及び磁気テープカセット２は水平ローディング方向３の反対方向の力を受け、更に昇降ばね３７によって作用するばね力に基因し、使用者が、も早、磁気テープカセット２にいかなる力も作用させない時は、昇降素子８、及び磁気テープカセット２は取出し位置に戻る。
【００２４】
磁気テープカセット装置のスイッチオンの状態で、磁気テープカセット２を取出し位置を越えて磁気テープカセット装置内に水平ローディング方向３の方向に挿入する時、磁気テープカセット２が例えば約４ｍｍ程度の所定距離を移動した後、スイッチ（図示せず）が作動する。このスイッチ（図示せず）の作動の結果、サーボモータ（図示せず）を起動させ、駆動チェーン（図示せず）を介してラック３０を駆動し、このラック３０を水平ローディング方向３の方向に動かす。水平ローディング方向３の方向に移動するラック３０はブロックレバー３８に作用し、矢印４０によって示す方向に反対方向にこのブロックレバー３８を回動させ、第１昇降板２５を水平ローディング方向３の方向に動かす。
【００２５】
次に、図３、及び図４に斜視図で示す中間位置に、ローディング装置を移動させる。図３では、完全なフレーム１５と共にローディング装置を中間位置に示し、図４では、第１昇降板２５の作用を明瞭にするため、フレーム１５の後壁１５ａと側壁１５ｂとを図面から除去した。
取出し位置から中間位置に移動中、ラック３０は水平ローディング方向３の方向に移動して、第１昇降板２５の端縁２５ｃに衝合する。その結果、この昇降板２５を取出し位置から中間位置に動かす。ラック３０によって水平ローディング方向３の方向に移動し終わっている第１昇降板２５は第１溝孔２６の端縁２６ａを水平ローディング方向３の方向にカセットホルダ１の第１ピン６に押圧し、第２溝孔の端縁２７ｃを昇降素子８の第３ピン１１に押圧する。この状態でカセットホルダ１の第１ピン６は第１昇降板２５の第１傾斜溝孔２６を摺動下降することができない。これは第１ピン６はフレーム１５の第４案内溝孔２０の水平部２０ａによって案内されるからである。また昇降素子８の第３ピン１１は第１昇降板２５の第２溝孔２７の傾斜部を摺動下降することができない。これは第３ピン１１はフレーム１５の第３案内溝孔１９の水平部１９ａによって同時に案内されるからである。取出し位置から中間位置への移動中、昇降素子８の第１ピン９は水平ローディング方向３の方向に延びるフレーム１５の第１案内溝孔１７内に摺動し、昇降素子８の第２ピン１０はフレーム１５の第２案内溝孔１８内を移動する。更に、取出し位置から中間位置への移動中、カセットホルダ１の突起２３はフレーム１５の接触面２２に掛合する。
【００２６】
従って、ラック３０、第１昇降板２５、昇降素子８、及びカセットホルダ１は磁気テープカセット２と共に、取出し位置から、図３、及び図４に斜視図にて示す中間位置に水平ローディング方向に動かされる。この中間位置では、昇降素子８、及びカセットホルダ１の水平ローディング方向３の方向の移動は停止され、カセットホルダ１の第１ピン６は第４案内溝孔２０の部分２０ｃ内でフレーム１５に圧力を及ぼす。更に、昇降素子８の第１ピン９、及び第２ピン１０は第１案内溝孔１７の端壁１７ａ、及び第２案内溝孔１８の端壁１８ａを押圧する。
次に、ローディング装置は中間位置から、図５、及び図６に斜視図にて示すプレイ位置に動かされる。図５では、全体のフレーム１５を示し、図６では第１昇降板２５の作動を明瞭にするため、フレーム１５の側壁１５ｂ、及び後壁１５ａを図示しない。
【００２７】
ローディング装置を中間位置からプレイ位置に動かすため、駆動チェーン（図示せず）、及びサーボモータ（図示せず）によって、ラック３０、従って第１昇降板２５を更に水平ローディング方向３の方向に駆動して動かす。第１昇降板２５の第１溝孔２６の端縁２６ａはカセットホルダ１の第１ピン６に垂直ローディング方向２１の方向に力を作用させる。その結果、カセットホルダ１の第１ピン６は第１昇降板２５の第１溝孔２６を垂直ローディング方向２１の方向に摺動して下り、同時に、カセットホルダ１の第１ピン６はフレーム１５の第４案内溝孔２０の垂直部２０ｂ内に案内される。第４案内溝孔２０の垂直部２０ｂ内にカセットホルダ１の第１ピン６を案内することによって、カセットホルダ１、従って磁気テープカセットは、中間位置からプレイ位置への変換中、垂直ローディング方向２１の方向の運動のみを遂行し、このようにして磁気テープカセット２のリールディスク開口４１、４２は磁気テープカセット装置のリールディスク（図示せず）に向け垂直ローディング方向２１の方向に確実に降下する。このようにして、リールディスクが磁気テープカセット２のリールディスク開口４１、４２に信頼性ある掛合を行うのを保証する。
【００２８】
中間位置からプレイ位置への変換中、昇降素子８はその第１ピン９と、第２ピン１０との周りに回転のみを行う。その時、第１昇降板２５の第２溝孔２７の端縁２７ｃは、昇降素子８の第３ピン１１に垂直ローディング方向２１の方向に力を加え、その結果、昇降素子８の第３ピン１１は第１昇降板２５の第２溝孔２７の傾斜部２７ｂを摺動して下る。この時、昇降素子８の第３ピン１１は同時にフレーム１５の第３案内溝孔１９の湾曲垂直部１９ｂ内を案内される。プレイ位置では、磁気テープカセット２のリールディスク開口４１、４２は磁気テープカセット装置のリールディスク（図示せず）に掛合しており、磁気テープカセットの磁気テープは、例えばプレイモードで作動するため磁気ヘッド（図示せず）を過ぎて移動することができる。
【００２９】
磁気テープカセット２をプレイ位置から取出し位置に動かすため、上述の工程を反対方向に進行させる。プレイ位置から中間位置への変換中、第１昇降板２５を水平ローディング方向３の反対方向に動かし、この結果、プレイ位置から中間位置にそれぞれ第１ピン９、及び第２ピン１０の周りに第１昇降素子８を回転させる。この結果、カセットホルダ１をプレイ位置から中間位置へ、垂直ローディング方向２１の反対方向に上昇させる。プレイ位置から取出し位置への変換中、第１昇降板２５の端縁２５ｄに押圧されるラック３０と、駆動チェーン（図示せず）と、サーボモータ（図示せず）とによって、第１昇降板２５は水平ローディング方向に反対方向に駆動されて動かされる。この時、第１昇降板２５はカセットホルダ１、及び昇降素子８に協働し、これ等の部片も磁気テープカセット２と共に、中間位置から取出し位置に、水平ローディング方向３の反対方向に動かされる。
【００３０】
第１昇降板２５を駆動するため、サーボモータにより、また駆動チェーン（図示せず）、及びラック３０により加えるべき力は、プレイ位置から中間位置に移動中、特に大きい。これは磁気テープカセット２をプレイ位置から中間位置に重力に抗して上昇させる必要があるためである。
【図面の簡単な説明】
【図１】使用者が手でカセットを取り出すことができる取出し位置におけるフレームと、このフレームに大部分を隠された昇降板と、カセットホルダと、昇降素子とを具える本発明ローディング装置を示す斜視図である。
【図２】第１昇降板の構造、及び作動を明瞭にするため、フレームの側壁、及び後壁を除去して、図１の取出し位置にあるローディング装置を示す。
【図３】取出し位置に対し、昇降素子、カセットホルダ、及び第１昇降板を水平ローディング方向に動かした中間位置にある図１のローディング装置の斜視図である。
【図４】第１昇降板の構造、及び作動を明瞭にするため、フレームの側壁、及び後壁を除去して、図３の中間位置にあるローディング装置を示す。
【図５】第１昇降板が中間位置に対し水平ローディング方向に移動し、昇降素子が枢着軸線の周りに回動し、磁気テープカセットと共にカセットホルダが磁気テープカセット装置のリールディスク（図示せず）向け垂直ローディング方向に下降しているプレイ位置にある図１のローディング装置を示す。
【図６】第１昇降板の構造、及び作動を明瞭にするため、フレームの側壁、及び後壁を除去して、プレイ位置に図５のローディング装置を示す。
【図７】本発明ローディング装置の昇降素子の斜視図である。
【図８】本発明ローディング装置の第１昇降板の斜視図である。
【図９】本発明ローディング装置のフレームの斜視図である。
【図１０】本発明ローディング装置のカセットホルダの斜視図である。
【符号の説明】
１  カセットホルダ
２  磁気テープカセット
３  水平ローディング方向
４、５  Ｕ字状ヒンジ開口
６  第１ピン
８  昇降素子
９  第１ピン
１０  第２ピン
１１  第３ピン
１３、１４  昇降突起
１５  Ｕ字状フレーム
１６  デッキ板
１７  第１案内溝孔
１８  第２案内溝孔
１９  第３案内溝孔
１９ａ、２０ａ  水平部
１９ｂ、２０ｂ  垂直部
２０  第４案内溝孔
２１  垂直ローディング方向
２２  接触面
２３  突起
２５  第１昇降板
２５ａ  上面
２５ｂ  下面
２６  第１溝孔、第１傾斜溝孔
２７  第２溝孔、第２傾斜溝孔
２７ａ  水平部
２７ｂ  傾斜部
３０  ラック
３２  掛金レバー
３６  昇降板フック
３７  昇降ばね
３８  ブロックレバー
４１、４２  リールディスク開口
【図１】
0003980112.tif 000002
【図２】
0003980112.tif 000003
【図３】
0003980112.tif 000004
【図４】
0003980112.tif 000005
【図５】
0003980112.tif 000006
【図６】
0003980112.tif 000007
【図７】
0003980112.tif 000008
【図８】
0003980112.tif 000009
【図９】
0003980112.tif 000010
【図１０】
0003980112.tif 000011